(57)【特許請求の範囲】
【請求項１】
生体内部の情報を取得する生体情報取得部を備えた生体情報取得装置と、前記生体情報取得装置の長軸方向を垂直方向として配置することが可能な構成を備え、前記生体情報取得装置を起動または停止させるための起動制御信号を送信する起動制御信号出力装置と、
を有する生体情報取得システムであって、
前記生体情報取得装置は、
前記生体情報取得部を駆動するための駆動電力を供給可能であるとともに、電磁界を遮断する構成を備えた電源部と、
前記電源部に近接して配置された起動制御信号受信部と、
前記起動制御信号受信部において前記起動制御信号が受信された際に、前記電源部から前記生体情報取得部への前記駆動電力の供給状態を切り替える電力供給制御部と、を有し、
前記起動制御信号出力装置は、
前記起動制御信号を送信する２つの起動制御信号送信部と、
前記生体情報取得装置が前記起動制御信号出力装置に配置された際に、前記長軸方向に垂直な相互に異なる平面上に第１の前記起動制御信号送信部と第２の前記起動制御信号送信部と前記起動制御信号受信部とが位置し、かつ、第１の前記起動制御信号送信部及び第２の前記起動制御信号送信部の間に前記起動制御信号受信部が位置するように位置決めを行う位置決め部と、を有する
ことを特徴とする生体情報取得システム。
【請求項２】
前記位置決め部は、前記生体情報取得装置の長軸方向を垂直方向として挿入配置することが可能な凹部として形成されることを特徴とする請求項１に記載の生体情取得システム。
【請求項３】
前記位置決め部は、前記生体情報取得装置が前記起動制御信号出力装置に配置された際に、第１の前記起動制御信号送信部に設けられた一次側コイルのコイル面と、第２の前記起動制御信号送信部に設けられた一次側コイルのコイル面と、前記起動制御信号受信部に設けられた二次側コイルのコイル面と、がそれぞれ平行な位置関係になるように位置決めを行うことを特徴とする請求項１に記載の生体情報取得システム。
【発明の詳細な説明】
【技術分野】
【０００１】
本発明は、生体情報取得システムに関し、特に、生体内の情報を取得可能な生体情報取得システムに関するものである。
【背景技術】
【０００２】
医療分野における内視鏡は、生体内部の観察等の用途において従来用いられている。そして、前述した内視鏡の種類の１つとして、被検者が嚥下することにより体腔内に配置され、蠕動運動に伴って該体腔内を移動しつつ被写体の像を撮像し、撮像した該被写体の像を撮像信号として外部に無線伝送可能なカプセル型内視鏡が近年提案されている。
【０００３】
そして、前述したカプセル型内視鏡と略同様の構成を有するものとしては、例えば、特許文献１に開示されているようなものがある。
【０００４】
具体的には、特許文献１には、カプセル型内視鏡の外部から交流磁界を照射することにより、該カプセル型内視鏡の起動及び停止に係る切り替えを行うことが可能な構成が開示されている。
【発明の概要】
【発明が解決しようとする課題】
【０００５】
一般的なカプセル型内視鏡によれば、被検者が嚥下可能な程度に容積が限られる関係上、例えばボタン型電池のような、小型な内蔵電源を有して構成されることが多い。
【０００６】
一方、特許文献１に開示されたような構成のカプセル型内視鏡によれば、被検者が嚥下可能な程度に容積が限られる関係上、外部からの磁界を受信する受信アンテナと、内蔵電源（電源部）とを互いに近接して配置せざるを得ない。
【０００７】
そのため、特許文献１に開示されたような構成のカプセル型内視鏡において、内蔵電源が交流磁界を遮断する構成を備えている場合には、受信アンテナにおいて受信される磁界の強度が低下してしまうことにより、外部から交流磁界を照射してもカプセル型内視鏡の起動状態が切り替わらない、という現象が発生してしまう場合がある。特に、例えばボタン型電池を内蔵電源（電源部）として用いた場合には、ボタン型電池の外装材が金属であることから、前述の現象が発生し易くなると考えられる。しかし、特許文献１には、このようなことに関して何ら言及されていない。
【０００８】
本発明は、前述した事情に鑑みてなされたものであり、生体情報取得装置の起動状態を切り替えるための信号を受信するアンテナと、該信号を遮断する物体とが互いに近接して配置された場合であっても、該生体情報取得装置の起動及び停止に係る切り替えを確実に行わせることが可能な生体情報取得システムを提供することを目的としている。
【課題を解決するための手段】
【００１０】
本発明の生体情報取得システムは、生体内部の情報を取得する生体情報取得部を備えた生体情報取得装置と、前記生体情報取得装置の長軸方向を垂直方向として配置することが可能な構成を備え、前記生体情報取得装置を起動または停止させるための起動制御信号を送信する起動制御信号出力装置と、を有する生体情報取得システムであって、前記生体情報取得装置は、前記生体情報取得部を駆動するための駆動電力を供給可能であるとともに、電磁界を遮断する構成を備えた電源部と、前記電源部に近接して配置された起動制御信号受信部と、前記起動制御信号受信部において前記起動制御信号が受信された際に、前記電源部から前記生体情報取得部への前記駆動電力の供給状態を切り替える電力供給制御部と、を有し、前記起動制御信号出力装置は、前記起動制御信号を送信する２つの起動制御信号送信部と、前記生体情報取得装置が前記起動制御信号出力装置に配置された際に、前記長軸方向に垂直な相互に異なる平面上に第１の前記起動制御信号送信部と第２の前記起動制御信号送信部と前記起動制御信号受信部とが位置し、かつ、第１の前記起動制御信号送信部及び第２の前記起動制御信号送信部の間に前記起動制御信号受信部が位置するように位置決めを行う位置決め部と、を有する。
【発明の効果】
【００１１】
本発明における生体情報取得システムによれば、生体情報取得装置の起動状態を切り替えるための信号を受信するアンテナと、該信号を遮断する物体とが互いに近接して配置された場合であっても、該生体情報取得装置の起動及び停止に係る切り替えを確実に行わせることが可能である。
【図面の簡単な説明】
【００１２】
【図１】本発明の実施例に係る生体情報取得システムの外観構成の一例を示す図。
【図２】カプセル型内視鏡の構成を模式的に示す図。
【図３】カプセル型内視鏡の具体的な回路構成の一例を示す図。
【図４】磁界発生装置の具体的な回路構成の一例を示す図。
【図５】磁界発生装置の断面構造を説明するための図。
【図６】本発明の実施例に係る生体情報取得システムにおいて、磁界発生装置にカプセル型内視鏡が配置された場合の要部の位置関係を説明するための図。
【図７】本発明の実施例の第１の変形例に係る生体情報取得システムにおいて、磁界発生装置にカプセル型内視鏡が配置された場合の要部の位置関係を説明するための図。
【図８】本発明の実施例の第２の変形例に係る生体情報取得システムにおいて、磁界発生装置にカプセル型内視鏡が配置された場合の要部の位置関係を説明するための図。
【図９】本発明の実施例の第３の変形例に係る生体情報取得システムにおいて、磁界発生装置にカプセル型内視鏡が配置された場合の要部の位置関係を説明するための図。
【発明を実施するための形態】
【００１３】
以下、本発明の実施の形態について、図面を参照しつつ説明を行う。
【００１４】
図１から図９は、本発明の実施例に係るものである。
【００１５】
本実施例の生体情報取得システム１は、図１に示すように、生体内部に配置可能な寸法及び形状等を有して構成されたカプセル型内視鏡１０と、カプセル型内視鏡１０に対して交流磁界による起動制御信号を送信する磁界発生装置２０と、を有している。
【００１６】
磁界発生装置２０の筐体２５には、カプセル型内視鏡１０の長軸方向を垂直方向として挿入配置して固定することが可能な穴である凹部２１と、凹部２１に配置されたカプセル型内視鏡１０に対する起動制御信号の送信開始及び送信停止を切り替えることが可能なスイッチ２２と、が設けられている。
【００１７】
次に、生体情報取得装置としてのカプセル型内視鏡１０の具体的な構成例について説明する。
【００１８】
カプセル型内視鏡１０は、図２に示すように、照明部１１、撮像部１２、無線伝送部１３、電池１４、及び、磁界検出部１５を、細長のカプセル形状に形成された筐体１６の内部に有して構成されている。
【００１９】
筐体１６の撮像部１２側の端部１６Ａは、透明材料を用いてドーム形状に形成されている。また、筐体１６の中央の円筒部１６Ｂは、遮光性材料を用いて形成されている。さらに、筐体１６の撮像部１２と反対側の端部１６Ｃは、遮光性材料を用いてドーム形状に形成されている。
【００２０】
一方、カプセル型内視鏡１０は、例えば図３に示すように、生体内部の被写体を照明する照明部１１と、照明部１１により照明された被写体を結像する図示しない対物光学系と、該対物光学系により結像された被写体を撮像して撮像信号を出力する撮像素子等を備えた撮像部１２と、撮像部１２から出力される撮像信号を無線信号に変換して外部へ出力する無線伝送部１３と、を具備する生体情報取得部１７を内蔵している。
【００２１】
さらに、カプセル型内視鏡１０は、例えば図３に示すように、磁界検出部１５からの出力信号が入力される２分周回路１８と、２分周回路１８からの出力信号に応じて電池１４から生体情報取得部１７を構成する各部への電力供給状態を切り替えるスイッチ部１９と、を内蔵している。
【００２２】
電池１４は、生体情報取得部１７の駆動に用いられる電力を供給可能な構成を有している。また、電池１４は、例えば金属等の外装材を用いて構成されており、すなわち、電磁界を遮断する構成を備えている。なお、本実施例においては、電池１４がボタン電池である場合を例に挙げて説明を進めるものとする。
【００２３】
磁界検出部１５は、例えば図３に示すように、受信アンテナ部３５と、受信アンテナ部３５からの出力信号を整流して２分周回路１８へ出力する整流回路３６と、を有して構成されている。
【００２４】
受信アンテナ部３５は、二次側コイル３５Ａ及び二次側コンデンサ３５Ｂを具備する共振回路として構成されている。なお、前記共振回路の共振周波数は、磁界発生装置２０からの起動制御信号の周波数と同じになるように予め調整されている。なお、本実施例においては、二次側コイル３５Ａが、カプセル型内視鏡１０の電池１４に近接した位置に配置され、カプセル型内視鏡１０の長軸方向に対して垂直な平面上にコイル面が設けられた、ドーナツ形状の平面コイルである場合を例に挙げて説明を進めるものとする。
【００２５】
２分周回路１８は、例えばＤ型フリップフロップ回路により構成され、入力された電気信号を２分周してスイッチ部１９へ出力する。
【００２６】
スイッチ部１９は、例えば、ソースが電池１４に接続され、ゲートが２分周回路１８の出力端側に接続され、ドレインが生体情報取得部１７の各部に接続されたＰチャネル型ＦＥＴにより構成されている。
【００２７】
以上に述べたカプセル型内視鏡１０の構成によれば、外部からの交流磁界による起動制御信号が受信アンテナ部３５において受信されると、電磁誘導作用に伴う交流電流が二次側コイル３５Ａに発生する。そして、受信アンテナ部３５が受電した起動制御信号に応じた交流電流は、整流回路３６により整流された後、直流の電気信号として２分周回路１８へ供給される。
【００２８】
ここで、スイッチ部１９がオフしていると仮定した場合、磁界検出部１５における交流磁界の検出（受電）に伴い、２分周回路１８の入力端側のノードＮ１のレベルが受電電圧レベルになる。その後、ノードＮ１のレベルが２分周回路１８の閾値を超えると、２分周回路１８の出力端側のノードＮ２が接地電圧レベルへ遷移し、スイッチ部１９がオフからオンへ切り替わる。そして、スイッチ部１９がオフからオンへ切り替わることに伴い、電池１４から生体情報取得部１７への電力供給が開始される。
【００２９】
また、スイッチ部１９がオンしていると仮定した場合、磁界検出部１５における交流磁界の検出（受電）に伴い、２分周回路１８の入力端側のノードＮ１のレベルが受電電圧レベルになる。その後、ノードＮ１のレベルが２分周回路１８の閾値を超えると、２分周回路１８の出力端側のノードＮ２が電源電圧レベルへ遷移し、スイッチ部１９がオンからオフへ切り替わる。そして、スイッチ部１９がオンからオフへ切り替わることに伴い、電池１４から生体情報取得部１７への電力供給が停止される。
【００３０】
すなわち、以上に述べたカプセル型内視鏡１０の構成によれば、磁界検出部１５において一回磁界が検出される毎に、スイッチ部１９のオンオフが切り替えられる。また、２分周回路１８は、スイッチ部１９の状態保持部として機能する。なお、２分周回路１８は、Ｄ型フリップフロップ回路により構成されるものに限らず、入力信号を２分周できる回路であれば、Ｔ型フリップフロップ回路等より構成されるものであってもよい。
【００３１】
続いて、磁界発生装置２０の具体的な構成例について説明する。
【００３２】
磁界発生装置２０は、図４に示すように、交流磁界による起動制御信号を発生する磁界発生部４２と、磁界発生部４２を駆動する磁界発生制御部４９と、電源部４１と、スイッチ２２と、を有して構成されている。
【００３３】
磁界発生部４２は、一次側コイル４４及び一次側コンデンサ４３を具備する共振回路として構成されている。なお、本実施例においては、一次側コイル４４が、例えば図５に示すように、筐体２５の内部における凹部２１の周囲に配置され、凹部２１に挿入配置されたカプセル型内視鏡１０の長軸方向に対して垂直な平面上にコイル面が設けられた、ドーナツ形状の平面コイルである場合を例に挙げて説明を進めるものとする。
【００３４】
磁界発生制御部４９は、発振器４５と、発振器４５からの信号を所定の周波数に変換する等の処理を行うタイミング生成部４６と、該所定の周波数の信号により磁界発生部４２を駆動するドライバ４７と、を有している。なお、本実施例において、前記所定の周波数は、受信アンテナ部３５の共振回路の共振周波数と同じ周波数であるとする。
【００３５】
スイッチ２２は、操作者の操作に応じて電源部４１から磁界発生制御部４９への電力供給状態を切り替えることが可能な、例えば押しボタンスイッチとして構成されている。
【００３６】
すなわち、以上に述べた磁界発生装置２０の構成によれば、操作者の操作によりスイッチ２２がオフからオンへ切り替えられることに伴い、電源部４１から磁界発生制御部４９への電力の供給が開始され、磁界発生部４２の一次側コイル４４における所定の周波数の交流磁界の発生（起動制御信号の送信）が開始される。また、以上に述べた磁界発生装置２０の構成によれば、操作者の操作によりスイッチ２２がオンからオフへ切り替えられることに伴い、電源部４１から磁界発生制御部４９への電力の供給が停止され、磁界発生部４２の一次側コイル４４における所定の周波数の交流磁界の発生（起動制御信号の送信）が停止される。
【００３７】
次に、本実施例の作用について説明を行う。
【００３８】
まず、ユーザは、図示しないパッケージ等からカプセル型内視鏡１０を取り出した後、カプセル型内視鏡１０を磁界発生装置２０の凹部２１に挿入配置する。これにより、磁界発生装置２０におけるカプセル型内視鏡１０の配置状態が、例えば図６に示すように、カプセル型内視鏡１０の長軸方向を垂直方向とした状態として固定される。
【００３９】
そして、磁界発生装置２０におけるカプセル型内視鏡１０の配置状態が固定されるに伴い、磁界発生装置２０の一次側コイル４４と、カプセル型内視鏡１０の二次側コイル３５Ａとの位置関係が決定する。すなわち、磁界発生装置２０の凹部２１は、磁界発生装置２０の一次側コイル４４と、カプセル型内視鏡１０の二次側コイル３５Ａとの位置決めを行う位置決め部としての機能を有している。
【００４０】
ここで、カプセル型内視鏡１０に内蔵された電池１４及び二次側コイル３５Ａが、例えば図６に示すような位置関係を備えて配置されている場合について考える。
【００４１】
このような場合においては、図６に示すように、凹部２１に挿入配置されたカプセル型内視鏡１０の二次側コイル３５Ａが、磁界発生装置２０の一次側コイル４４の上方に配置される。そして、このような配置により、二次側コイル３５Ａのコイル面と一次側コイル４４のコイル面とが平行な位置関係になる。換言すると、一次側コイル４４のコイル面と二次側コイル３５Ａのコイル面とが、カプセル型内視鏡１０の長軸方向に垂直な相互に異なる平面上に位置するような位置関係となる。
【００４２】
また、前述のような場合においては、図６に示すように、凹部２１に挿入配置されたカプセル型内視鏡１０の電池１４が、二次側コイル３５Ａに比べて一次側コイル４４からさらに上方に離れた位置に配置される。
【００４３】
一方、ユーザは、カプセル型内視鏡１０を磁界発生装置２０の凹部２１に挿入配置した後、スイッチ２２をオフからオンへ切り替えることにより、一次側コイル４４から交流磁界を発生させる。
【００４４】
図６に示すように挿入配置されたカプセル型内視鏡１０に対し、磁界発生装置２０の一次側コイル４４から交流磁界が発せられると、該交流磁界の一部が電池１４により遮られる。その一方で、図６に示すようにカプセル型内視鏡１０が挿入配置されると、電池１４に比べて一次側コイル４４に近接した位置に二次側コイル３５Ａが配置されるため、二次側コイル３５Ａにおいて検出される磁界成分については、電池１４による電磁界の遮断の影響をほぼ受けない。
【００４５】
そして、磁界発生装置２０の一次側コイル４４から発せられた交流磁界がカプセル型内視鏡１０の二次側コイル３５Ａにおいて検出されると、スイッチ部１９がオフからオンへ切り替わることにより、電池１４から生体情報取得部１７への電力供給が開始され、カプセル型内視鏡１０が起動する。
【００４６】
なお、以上に述べたような、スイッチ部１９をオフからオンに切り替えてカプセル型内視鏡１０を起動させる際の手順及び動作等は、スイッチ部１９をオンからオフに切り替えてカプセル型内視鏡１０を停止させる際の手順及び動作等として略同様に適用できる。
【００４７】
以上に述べたように、本実施例によれば、磁界発生装置２０から発せられる交流磁界（起動制御信号）を検出（受信）する二次側コイル３５Ａと、電磁界を遮断する構成を備えた電池１４とが互いに近接して配置された場合であっても、カプセル型内視鏡１０の起動及び停止に係る切り替えを確実に行わせることができる。
【００４８】
ところで、以上に述べた実施例によれば、前述の効果と略同一の効果を得ることが可能な種々の変形例が考えられる。そのため、以降においては、このような種々の変形例についての説明を行う。なお、以降においては、説明の簡単のため、既に述べたものと同じ構成要素等に関する詳細な説明を適宜省略する。
【００４９】
本実施例における第１の変形例に係る生体情報取得システム１Ａは、図７に示すように、電池１４と二次側コイル３５Ａとの位置関係が上下逆転したカプセル型内視鏡１０Ａと、磁界発生装置２０Ａと、を有している。
【００５０】
磁界発生装置２０Ａは、磁界発生装置２０における凹部２１の代わりに、筐体２５に凹部２１Ａを設けて構成されている。また、凹部２１Ａは、磁界発生装置２０の凹部２１に比べ、筐体２５の垂直方向に向かって深い位置に底面が形成された穴として形成されている。
【００５１】
そのため、カプセル型内視鏡１０Ａが磁界発生装置２０Ａの凹部２１Ａに挿入配置されると、図７に示すように、一次側コイル４４の下方に二次側コイル３５Ａが配置され、二次側コイル３５Ａに比べて一次側コイル４４からさらに下方に離れた位置に電池１４が配置され、二次側コイル３５Ａのコイル面と一次側コイル４４のコイル面とが平行な位置関係になる。換言すると、一次側コイル４４のコイル面と二次側コイル３５Ａのコイル面とが、カプセル型内視鏡１０の長軸方向に垂直な相互に異なる平面上に位置するような位置関係となる。
【００５２】
そして、カプセル型内視鏡１０Ａが磁界発生装置２０Ａの凹部２１Ａに挿入配置された場合であっても、電池１４に比べて一次側コイル４４に近接した位置に二次側コイル３５Ａが配置されるため、二次側コイル３５Ａにおいて検出される磁界成分については、電池１４による電磁界の遮断の影響をほぼ受けない。
【００５３】
以上に述べたように、本実施例の第１の変形例によれば、磁界発生装置２０Ａから発せられる交流磁界（起動制御信号）を検出（受信）する二次側コイル３５Ａと、電磁界を遮断する構成を備えた電池１４とが互いに近接して配置された場合であっても、カプセル型内視鏡１０Ａの起動及び停止に係る切り替えを確実に行わせることができる。
【００５４】
本実施例における第２の変形例に係る生体情報取得システム１Ｂは、図８に示すように、カプセル型内視鏡１０と、磁界発生装置２０Ｂと、を有している。
【００５５】
磁界発生装置２０Ｂは、磁界発生装置２０における一次側コイル４４の代わりに、一次側コイル４４Ａ及び４４Ｂを設けて構成されている。
【００５６】
一次側コイル４４Ａ及び４４Ｂは、筐体２５の内部における凹部２１の近傍であって、凹部２１を挟んで対称となる位置に１つずつ配置されている。また、一次側コイル４４Ａ及び４４Ｂは、凹部２１に挿入配置されたカプセル型内視鏡１０の長軸方向に対して垂直な同一の平面上にコイル面が設けられた、ドーナツ形状の平面コイルとして構成されている。なお、本変形例の一次側コイル４４Ａ及び４４Ｂは、それぞれ同じ方向に電流が流れるように駆動されるものとする。
【００５７】
そのため、カプセル型内視鏡１０が磁界発生装置２０Ｂの凹部２１に挿入配置されると、図８に示すように、一次側コイル４４の上方に二次側コイル３５Ａが配置され、二次側コイル３５Ａに比べて一次側コイル４４からさらに上方に離れた位置に電池１４が配置され、二次側コイル３５Ａのコイル面と一次側コイル４４Ａ及び４４Ｂのコイル面とがそれぞれ平行な位置関係になる。換言すると、一次側コイル４４Ａ及び４４Ｂのコイル面と二次側コイル３５Ａのコイル面とが、カプセル型内視鏡１０の長軸方向に垂直な相互に異なる平面上に位置するような位置関係となる。
【００５８】
そして、カプセル型内視鏡１０が磁界発生装置２０Ｂの凹部２１に挿入配置された場合であっても、電池１４に比べて一次側コイル４４Ａ及び４４Ｂに近接した位置に二次側コイル３５Ａが配置されるため、二次側コイル３５Ａにおいて検出される磁界成分については、電池１４による電磁界の遮断の影響をほぼ受けない。
【００５９】
なお、本実施例の磁界発生装置２０Ｂは、２つの一次側コイルを有して構成されるものに限らず、３つ以上の一次側コイルを有して構成されるものであってもよい。
【００６０】
以上に述べたように、本実施例の第２の変形例によれば、磁界発生装置２０Ｂから発せられる交流磁界（起動制御信号）を検出（受信）する二次側コイル３５Ａと、電磁界を遮断する構成を備えた電池１４とが互いに近接して配置された場合であっても、カプセル型内視鏡１０の起動及び停止に係る切り替えをより確実に行わせることができる。
【００６１】
本実施例における第３の変形例に係る生体情報取得システム１Ｃは、図９に示すように、カプセル型内視鏡１０と、磁界発生装置２０Ｃと、を有している。
【００６２】
磁界発生装置２０Ｃは、磁界発生装置２０における凹部２１の代わりに凹部２１Ａを設け、さらに、一次側コイル４４Ｃを有して構成されている。
【００６３】
一次側コイル４４Ｃは、筐体２５の内部における凹部２１Ａの周囲であって、一次側コイル４４から筐体２５の下方へ向かって所定の距離だけ離れた位置に配置されている。また、一次側コイル４４Ｃは、凹部２１Ａに挿入配置されたカプセル型内視鏡１０の長軸方向に対して垂直な平面上にコイル面が設けられた、ドーナツ形状の平面コイルとして構成されている。なお、本変形例の一次側コイル４４及び４４Ｃは、それぞれ同じ方向に電流が流れるように駆動されるものとする。
【００６４】
そのため、カプセル型内視鏡１０が磁界発生装置２０Ｃの凹部２１Ａに挿入配置されると、図９に示すように、一次側コイル４４のコイル面と一次側コイル４４Ｃのコイル面との間において、これら２つのコイル面と平行な位置関係となるように二次側コイル３５Ａのコイル面が配置される。換言すると、一次側コイル４４のコイル面と、一次側コイル４４Ｃのコイル面と、二次側コイル３５Ａのコイル面とが、カプセル型内視鏡１０の長軸方向に垂直な相互に異なる平面上に位置するような位置関係となる。
【００６５】
そして、カプセル型内視鏡１０が磁界発生装置２０Ｃの凹部２１Ａに挿入配置された場合においては、電池１４に比べて一次側コイル４４Ｃに近接した位置に二次側コイル３５Ａが配置されるため、二次側コイル３５Ａにおいて検出される磁界成分については、電池１４による電磁界の遮断の影響をほぼ受けない。
【００６６】
以上に述べたように、本実施例の第３の変形例によれば、磁界発生装置２０Ｃから発せられる交流磁界（起動制御信号）を検出（受信）する二次側コイル３５Ａと、電磁界を遮断する構成を備えた電池１４とが互いに近接して配置された場合であっても、カプセル型内視鏡１０の起動及び停止に係る切り替えをより確実に行わせることができる。
【００６７】
なお、以上に述べた実施例によれば、一次側コイル及び二次側コイルがいずれも平面コイルとして構成されるものに限らず、他の形状のコイル等により構成されるものであってもよい。
【００６８】
本発明は、上述した実施例に限定されるものではなく、発明の趣旨を逸脱しない範囲内において種々の変更や応用が可能であることは勿論である。
【符号の説明】
【００６９】
１，１Ａ，１Ｂ，１Ｃ  生体情報取得システム
１０，１０Ａ  カプセル型内視鏡
１１  照明部
１２  撮像部
１３  無線伝送部
１４  電池
１５  磁界検出部
１７  生体情報取得部
１８  ２分周回路
１９  スイッチ部
２０，２０Ａ，２０Ｂ，２０Ｃ  磁界発生装置
２１，２１Ａ  凹部
２２  スイッチ
３５  受信アンテナ部
３６  整流回路
４１  電源部
４２  磁界発生部
４９  磁界発生制御部
【先行技術文献】
【特許文献】
【００７０】
【特許文献１】特開２００９−８９９０７号公報
【図１】
0005620121.tif 000002
【図２】
0005620121.tif 000003
【図３】
0005620121.tif 000004
【図４】
0005620121.tif 000005
【図５】
0005620121.tif 000006
【図６】
0005620121.tif 000007
【図７】
0005620121.tif 000008
【図８】
0005620121.tif 000009
【図９】
0005620121.tif 000010